(57)【要約】【課題】脚や靴に容易に装着することができ、着用感が良好で、脚や靴への水の浸入を防止することができるフットカバーを提供する。【解決手段】このフットカバーは、脚と長靴の上面をカバーする布製円筒状のフットカバーである。カバー本体１の上部に膝の上部を覆う上カバー部２が形成され、カバー本体１の下縁部にコールゴム５ａを縫着した下ゴム縫着部５が設けられる。上カバー部２にはコールゴム４ａを縫着した上ゴム縫着部４が設けられる。上カバー部２に開き部７が設けられ、開き部７を面ファスナー９ａによって閉じる閉止部１０が上カバー部２の上縁部に設けられる。【選択図】図１
2004316020.tif 000002
【特許請求の範囲】
【請求項１】
脚と長靴の上面をカバーする布製円筒状のフットカバーであって、カバー本体の上部に膝の上部を覆う上カバー部が形成され、該カバー本体の下縁部にコールゴムを縫着した下ゴム縫着部が設けられ、該上カバー部にコールゴムを縫着した上ゴム縫着部が設けられ、該上カバー部に開き部が設けられ、該開き部を面ファスナーによって閉じる閉止部が該上カバー部の上縁部に設けられたことを特徴とするフットカバー。
【請求項２】
脚と短靴の上面をカバーする布製円筒状のフットカバーであって、カバー本体の上部に膝の上部を覆う上カバー部が形成され、該カバー本体の下部に短靴の上面を覆う下カバー部が形成され、該下カバー部にコールゴムを縫着した下ゴム縫着部が設けられ、該上カバー部にコールゴムを縫着した上ゴム縫着部が設けられ、該上カバー部に開き部が設けられ、該開き部を面ファスナーによって閉じる閉止部が該上カバー部の上縁部に設けられたことを特徴とするフットカバー。
【請求項３】
前記上カバー部の閉止部は、コールゴムを上縁部に縫着すると共に、該コールゴムの先端内側に面ファスナーを縫着して形成されたことを特徴とする請求項１又は２に記載のフットカバー。
【発明の詳細な説明】
【０００１】
【発明の属する技術分野】
本発明は、給食を調理する給食用厨房や食品を加工する食品加工場等の洗い場などにおいて、水を使用して水洗い作業を行う際に、作業者が脚と靴のカバーとして装着するフットカバーに関する。
【０００２】
【従来の技術】
例えば、給食を調理する給食用厨房の洗い場などにおいては、食器類や食材を洗う際、多くの水やお湯を使用して洗うため、洗い場の作業者は防水用のケータリングエプロン（ｃａｔｅｒｉｎｇ  ａｐｒｏｎ）や長靴を着用して、水洗い作業を行うようにしている。
【０００３】
しかし、ケータリングエプロンの丈が短い場合があり、或は長靴の長さが短い場合があって、そのような場合には、飛散した水やお湯が足にかかったり、靴の内部に浸入したりする不具合があった。
【０００４】
【発明が解決しようとする課題】
そこで、脚と靴をカバーする構造のフットカバーを装着することが検討されたが、従来のフットカバーは、登山用のものが下記の特許文献１などで知られているにすぎず、登山用のフットカバー（スパッツ）は、下端に止め紐が取り付けられており、止め紐をいちいち止めたり外したりする作業が煩わしく、また主に靴の上部を覆うだけのものであるため、洗い場などの作業用には使用しにくいという問題があった。
【０００５】
【特許文献１】
特開２００２−１２９４１３公報
【０００６】
本発明は、上記の点に鑑みてなされたもので、脚や靴に容易に装着することができ、着用感が良好で、脚や靴への水の浸入を防止することができるフットカバーを提供することを目的とする。
【０００７】
【課題を解決するための手段】
上記目的を達成するために、本発明の請求項１のフットカバーは、脚と長靴の上面をカバーする布製円筒状のフットカバーであって、カバー本体の上部に膝の上部を覆う上カバー部が形成され、カバー本体の下縁部にコールゴムを縫着した下ゴム縫着部が設けられ、上カバー部にはコールゴムを縫着した上ゴム縫着部が設けられ、上カバー部に開き部が設けられ、開き部を面ファスナーによって閉じる閉止部が上カバー部の上縁部に設けられたことを特徴とする。
【０００８】
また、請求項２のフットカバーは、脚と短靴の上面をカバーする布製円筒状のフットカバーであって、カバー本体の上部に膝の上部を覆う上カバー部が形成され、カバー本体の下部に短靴の上面を覆う下カバー部が形成され、下カバー部にコールゴムを縫着した下ゴム縫着部が設けられ、上カバー部にはコールゴムを縫着した上ゴム縫着部が設けられ、上カバー部に開き部が設けられ、開き部を面ファスナーによって閉じる閉止部が上カバー部の上縁部に設けられたことを特徴とする。
【０００９】
ここで、上記フットカバーにおいては、請求項３のように、上カバー部の閉止部を、上縁部にコールゴムを縫着する共に、コールゴムの先端内側に面ファスナーを縫着して形成することができる。
【００１０】
【作用】
このような構成のフットカバーは、例えば給食用厨房や食品加工場の洗い場などにおいて、水に濡れやすい場所で作業する作業者が着用して使用する。長靴を履いた作業者は、請求項１のフットカバーを、作業者の脚の踝付近から膝にかけて装着し、長靴の上部と脚を覆って装着する。一方、短靴を履いた作業者は、請求項２のフットカバーを、作業者の脚の踝付近から膝にかけて装着し、短靴の上部と脚を覆って装着する。そして、上カバー部の開き部を、閉止部の面ファスナーにより止めて使用する。
【００１１】
このようなフットカバーを脚と靴の上部に装着すると、カバー本体の上カバー部が脚の膝付近をカバーし且つ上ゴム縫着部がその上カバー部を膝付近にフィットさせて隙間を塞ぎ、また、カバー本体の下部又は下カバー部が靴の上面から踝付近をカバーする共に、下ゴム縫着部がカバー本体の下部または下カバー部を踝付近にフィットさせるようにカバーするため、脚の膝から靴の上部にかけて良好にフットカバーで覆うことができる。
【００１２】
したがって、ケータリングエプロンの丈が短い場合があったり、或は長靴の長さが短い場合があっても、洗い場での作業中に、飛散した水やお湯が脚に付着したり、靴の内部に浸入することがなく、靴や足を濡らさずにまたお湯による火傷を防止して、洗い場での作業を良好に行うことができる。
【００１３】
【発明の実施の形態】
以下、本発明の実施の形態を図面に基づいて説明する。図１は長靴用のフットカバーの右側面図を示し、図２はその背面図を示している。このフットカバーは、脚と長靴の上面をカバーする布製円筒状に形成され、カバー本体１と、カバー本体１の上部に設けられ膝の上部を覆う上カバー部２と、カバー本体１の下縁部に設けられた下ゴム縫着部５と、上カバー部２の下部近傍に設けられた上ゴム縫着部４と、上カバー部２の開き部７を面ファスナーによって閉じるように設けられた閉止部１０とから構成されている。
【００１４】
図３はカバー本体１の展開図を示しており、カバー本体１は略矩形の防水処理を施した布から形成され、その上部には、上方に略扇形に開いた形状の上カバー部２が形成される。防水処理を施した布としては、例えば、綿３５％、ポリエステル６５％の混紡の生地にフッ素樹脂をラミネート加工した防水布、或いはナイロン１００％の生地にポリウレタンコーティングを施した防水布などを使用することができる。
【００１５】
カバー本体１の上カバー部２の下部付近には、横断方向にコールゴム４ａが縫着されて上ゴム縫着部４がギャザーを付して形成される。この上ゴム縫着部４は、コールゴム４ａを縫着する際、布にギャザーがよるように縫着し、コールゴム４ａを伸ばして伸長可能に形成される。また、同様にカバー本体１の下縁部には、横断方向にコールゴム５ａが縫着されて下ゴム縫着部５がギャザーを付して形成される。この下ゴム縫着部５も、コールゴム５ａを縫着する際、布にギャザーがよるように縫着し、コールゴム５ａを伸ばして伸長可能に形成される。
【００１６】
カバー本体１は、図３の展開図に示すように縫製され、さらにその両側縁部を縫い合わせて円筒形に縫製されるが、その際、上カバー部２の一部は閉じずに開き部７を形成するように縫製される。両側縁部を縫い合わせる際には、両側の縁部を合わせてパイピングを行って縦縫着部６が縦に縫着される。また、開き部７の部分は両方の縁部をパインピングを行って縫製する。
【００１７】
さらに、図４のように、上カバー部２の開き部７の一方の端部には、開き部７を閉じて止めるために、テープ状の閉止部１０を縫着する。この閉止部１０は、適当な長さに裁断した幅広のコードゴム８から構成され、上カバー部２の一方の縁部に縫い付けて取り付けられる。そして、コードゴム８の内側先端に、面ファスナー９ａを縫着し、それに対応した箇所には、他方の面ファスナー９ｂが上カバー部２の反対側の外側に縫着される。さらに、上カバー部２の開き部７の内側にも面ファスナー９ｃが縫着され、その対応した箇所に、他方の面ファスナー９ｄが上カバー部２の開き部７の反対側の内側に縫着されている。
【００１８】
このように構成されたフットカバーは、給食用厨房や食品加工場などの洗い場などで、食器や食材を水洗いする作業者が、図１、図２のようにその長靴Ｌと脚の上から着用して使用する。このフットカバーは、使用者が長靴Ｌを履いたまま、先端から内側に通して装着することができるが、長靴を脱いでフットカバーを脚の膝付近まで通し、その後、長靴Ｌを履いて、図１，２のように、フットカバーの下ゴム縫着部５を長靴Ｌの上に被せるように装着することもできる。装着は、閉止部１０のコードゴム８を少し伸ばして、その先端の面ファスナー９ａを反対側の面ファスナー９ｂに着けるだけで、簡単に行うことができる。
【００１９】
このように、フットカバーが脚と長靴Ｌの上部を覆うように装着されるから、長靴Ｌの上部の開口隙間は、カバー本体１と下ゴム縫着部５によりカバーされるから、洗い場で水仕事を行って、水やお湯が飛散した場合でも、フットカバーの下ゴム縫着部５が長靴Ｌの上部を隙間なく覆い、且つ良好にフィットした状態で装着されるため、長靴Ｌの内部に水がやお湯が浸入することはなく、良好な防水状態で作業を行うことができる。
【００２０】
さらに、フットカバーはそのカバー本体１と上カバー部２が脚の膝の上方までを覆い、上ゴム縫着部４が膝付近を隙間なくフィットさせるように装着されるため、脚の膝付近も水滴を完全にブロックすることができる。また、上ゴム縫着部４と下ゴム縫着部５にはコードゴムが入ってギャザーがよせてあるため、動きやすく、楽に作業を行うことができる。
【００２１】
図５〜図７は他の実施形態のフットカバーを示し、このフットカバーは、短靴を履いた使用者に装着して使用される。上記実施形態と同じ部材については、図５〜図７に上記と同じ符号を付してその説明を省略する。
【００２２】
このフットカバーは、短靴の上面と脚をカバーするように布製円筒状に形成され、カバー本体１１と、カバー本体１１の上部に設けられ膝の上部を覆う上カバー部２と、カバー本体１の下部に設けられた下カバー部３と、下カバー部３の上部近傍に設けられた下ゴム縫着部５と、上カバー部２の下部近傍に設けられた上ゴム縫着部４と、上カバー部２の開き部７を面ファスナーによって閉じるように設けられた閉止部１０とから構成されている。
【００２３】
カバー本体１の上カバー部２の下部付近には、上記と同様に、横断方向にコールゴム４ａが縫着されて上ゴム縫着部４がギャザー付きで形成される。この上ゴム縫着部４は、コールゴム４ａを縫着する際、布にギャザーがよるように縫着し、コールゴム４ａを伸ばして伸長可能に形成される。一方、カバー本体１の下部には、下カバー部３が下側に延設されて設けられる。
【００２４】
この下カバー部３は、短靴の上部を覆うように形成され、特に短靴の前部を多く覆うように、中央部が下方に膨出した形状に形成されている。この下カバー部３の下縁部は縫い代を三つ巻きにして縫製される。また、その下カバー部３の上部付近には、横断方向にコールゴム５ａが縫着されて下ゴム縫着部５がギャザー付きで形成される。この下ゴム縫着部５も、コールゴム５ａを縫着する際、布にギャザーがよるように縫着し、コールゴム５ａを伸ばして伸長可能に形成される。
【００２５】
そして、図５、図６に示す如く、上記と同様に、上カバー部２には開き部７が形成され、開き部７の一方の端部には、開き部７を閉じて止めるために、テープ状の閉止部１０が、コールゴム８に面ファスナー９ａを縫着して形成される。また、上記と同様に、上カバー部２の上縁部の内側と外側には、面ファスナー９ｂ、９ｃ、９ｄが各々の対応位置に縫着されている。
【００２６】
このフットカバーは、短靴を履いた作業者が、図５、図６のようにその短靴と脚の上から着用して使用する。このフットカバーは、使用者が短靴Ｓを履いたまま、先端から内側に通して装着することができるが、短靴Ｓを脱いでフットカバーを脚の膝付近まで通し、その後、短靴Ｓを履いて、図５，６のように、フットカバーの下カバー部３と下ゴム縫着部５を短靴Ｓの上に被せるように装着することもできる。
【００２７】
このように、フットカバーが脚と短靴Ｓの上部を覆うように装着されるから、短靴Ｓの上部の開口隙間は、下カバー部３によりカバーされる。従って、洗い場で水仕事を行って、水やお湯が飛散した場合でも、下カバー部３が短靴Ｓの上部を覆い、下ゴム縫着部５が踝付近を覆ってフィットさせているため、短靴Ｓの内部に水やお湯が浸入することはなく、良好な防水状態で作業を行うことができる。
【００２８】
さらに、上記と同様に、フットカバーはそのカバー本体１と上カバー部２が脚の膝の上方までを覆い、上ゴム縫着部４が膝付近を隙間なくフィットさせるように装着されるため、脚の膝付近も水滴を完全にブロックすることができる。
【００２９】
【発明の効果】
以上説明したように、本発明のフットカバーによれば、このフットカバーを脚と靴の上部に装着すると、カバー本体の上カバー部が脚の膝付近をカバーし且つ上ゴム縫着部がその上カバー部を膝付近にフィットさせて隙間を塞ぎ、また、カバー本体の下部又は下カバー部が靴の上面から踝付近をカバーする共に、下ゴム縫着部がカバー本体の下部または下カバー部を踝付近にフィットさせるようにカバーするため、脚の膝から靴の上部にかけて良好にフットカバーで覆うことができる。したがって、ケータリングエプロンの丈が短い場合があったり、或は長靴の長さが短い場合があっても、洗い場での作業中に、飛散した水やお湯が脚に付着したり、靴の内部に浸入することがなく、靴や足を濡らさずにまたはお湯による火傷を防止して、洗い場での作業を良好に行うことができる。
【図面の簡単な説明】
【図１】本発明の一実施形態を示すフットカバーの右側面図である。
【図２】そのフットカバーの背面図である。
【図３】カバー本体の展開図である。
【図４】上カバー部２の部分側面図である。
【図５】他の実施形態のフットカバーの右側面図である。
【図６】同フットカバーの背面図である。
【図７】カバー本体の展開図である。
【符号の説明】
１−カバー本体
２−上カバー部
３−下カバー部
４−上ゴム縫着部
５−下ゴム縫着部
９ａ〜９ｄ−面ファスナー
１０−閉止部
【図１】
2004316020.tif 000003
【図２】
2004316020.tif 000004
【図３】
2004316020.tif 000005
【図４】
2004316020.tif 000006
【図５】
2004316020.tif 000007
【図６】
2004316020.tif 000008
【図７】
2004316020.tif 000009